(57)【要約】      （修正有）【課題】簡易な構成で複数の音声データの録音、及び再生が可能で、添付するカードも容易に交換可能な音声録音、再生機能付き文具を提供する。【解決手段】音声の録音、再生が可能な音声録音、再生機能付き文具１であって、複数種類のカード３０と、カードが挿入抜き取り可能に配置されるカード配置部２５と、カード配置部に挿入されたカードの種類を検知する検知部と、音声が入力される音声入力部８と、音声が音声データとして記憶される記憶部であって、入力された音声の記憶時に、検知部に検知されたカードの種類と音声データとが紐付けされて記憶される記憶部と、音声データの再生時に、記憶部に記憶された音声データのうち、検知部に検知されたカードの種類と紐付けされた音声データを再生する再生部を備える。【選択図】図１
0003208326.tif 000002
【実用新案登録請求の範囲】
【請求項１】
音声の録音、再生が可能な音声録音、再生機能付き文具であって、
複数の種類のカードと、
前記カードが挿入抜き取り可能に配置されるカード配置部と、
前記カード配置部に挿入された前記カードの種類を検知する検知部と、
音声が入力される音声入力部と、
前記音声入力部から入力された音声が音声データとして記憶される記憶部であって、前記入力された音声の記憶時に、前記検知部に検知された前記カードの種類と前記音声データとが紐付けされて記憶される記憶部と、
前記音声データの再生時に、前記記憶部に記憶された前記音声データのうち、前記検知部に検知された前記カードの種類と紐付けされた前記音声データを再生する再生部と、
を備えることを特徴とする音声録音、再生機能付き文具。
【請求項２】
前記カードは、前記カードの種類に応じて識別可能に設けられた選択部を有し、
前記検知部は、前記カード配置部に前記カードを挿入した際に前記選択部と対応する位置に配置され、前記選択部を検知することにより挿入された前記カードの種類を検知することを特徴とする請求項１に記載の音声録音、再生機能付き文具。
【請求項３】
前記選択部は、矩形板状に形成された前記カードにおける挿入方向の先端である一辺から前記挿入方向へ突出するとともに、前記カードの種類に応じて予め定められた前記一辺の所定位置に設けられた突部であり、
前記検知部は、前記カードの種類に応じて設けられた前記突部と対応する位置に、前記突部が押し込み可能に配置されるとともに、前記突部が押し込まれることにより電気の導通状態が変化するものであることを特徴とする請求項２に記載の音声録音、再生機能付き文具。
【請求項４】
前記検知部は、前記突部が押し込まれることにより電気の導通状態が絶縁状態から導通状態へ、または、導通状態から絶縁状態へ変化するスイッチであることを特徴とする請求項３に記載の音声録音、再生機能付き文具。
【請求項５】
前記選択部は、矩形板状に形成された前記カードにおける挿入方向の先端である一辺から前記挿入方向へ突出するとともに、前記カードの種類に応じて予め定められた前記一辺の所定位置に設けられた突部であり、
前記検知部は、前記カードの種類に応じて設けられた前記突部と対応する位置に配置されるとともに、光を検知する光検知部、および、前記光検知部に光が入射する経路に前記突部が差し込み可能な空間が設けられたセンサーであることを特徴とする請求項２に記載の音声録音、再生機能付き文具。
【請求項６】
前記カード配置部は、挿入された前記カードの少なくとも一方の面を視認可能に保持するものであり、
前記カードは、所望の写真やメッセージカードなどを保持する保持部を備えた台紙であることを特徴とする請求項１から請求項５のいずれか１項に記載の音声録音、再生機能付き文具。
【請求項７】
複数の前記カードが収納可能なカード収納部を更に備えることを特徴とする請求項１から請求項６のいずれか１項に記載の音声録音、再生機能付き文具。
【考案の詳細な説明】
【技術分野】
【０００１】
本考案は、フォトアルバムやフォトスタンドなどの写真やカードを保持する文具に用いて好適な音声録音、再生機能付き文具に関する。
【背景技術】
【０００２】
従前より、音声メッセージや音楽などの音声を録音でき、かつ、その録音した音声を再生可能な、グリーティングカードや色紙などの録音・再生機能付文具が知られている。このような録音・再生機能付文具には、その内部に録音・再生装置を有し、更に録音の指示を行う録音ボタン、記憶された音声データの再生を指示する再生ボタン、音声データを出力するスピーカー、及び音声等を入力するマイクなどが様々な配置で備えられている（例えば、特許文献１参照。）。
【先行技術文献】
【特許文献】
【０００３】
【特許文献１】実用新案登録第３２０４３３０号公報
【考案の概要】
【考案が解決しようとする課題】
【０００４】
上述の特許文献１に記載された技術では、新たな音声を録音すると記憶機能部に既に録音されている音声データが上書されてしまうため、複数の音声データを録音・再生することができないという問題があった。また、特許文献１の技術を用いた文具では、所定の領域に写真やメッセージを添付することはできるものの、所定の領域に写真等を貼り付けて添付するため、多くの写真等を交換可能に添付することができないという問題もあった。
【０００５】
本考案は、上記の課題を解決するためになされたものであって、簡易な構成で複数の音声データの録音や、録音した音声の再生を選択して任意にすることが可能で、添付するカードの交換も容易な音声録音、再生機能付き文具を提供することを目的とする。
【課題を解決するための手段】
【０００６】
上記目的を達成するために、本考案は、以下の手段を提供する。
本考案の音声録音、再生機能付き文具は、音声の録音、再生が可能な音声録音、再生機能付き文具であって、複数の種類のカードと、前記カードが挿入抜き取り可能に配置されるカード配置部と、前記カード配置部に挿入された前記カードの種類を検知する検知部と、音声が入力される音声入力部と、前記音声入力部から入力された音声が音声データとして記憶される記憶部であって、前記入力された音声の記憶時に、前記検知部に検知された前記カードの種類と前記音声データとが紐付けされて記憶される記憶部と、前記音声データの再生時に、前記記憶部に記憶された前記音声データのうち、前記検知部に検知された前記カードの種類と紐付けされた前記音声データを再生する再生部と、を備えることを特徴とする。
【０００７】
本考案の音声録音、再生機能付き文具によれば、カード配置部に所望のカードが挿入されると、検知部がカード配置部に挿入されたカードの種類を検知する。そして、音声入力部から音声が入力されると、入力された音声は、音声データとして検知部が検知したカードの種類と紐付けされて記憶部に記憶される。また、音声の再生の際には、検知部が検知したカードの種類に紐付けられて記憶されている音声データが、再生部によって再生される。
【０００８】
上記考案においては、前記カードは、前記カードの種類に応じて識別可能に設けられた選択部を有し、前記検知部は、前記カード配置部に前記カードを挿入した際に前記選択部と対応する位置に配置され、前記選択部を検知することにより挿入された前記カードの種類を検知することを特徴とすることが好ましい。
【０００９】
このようにすることにより、検知部が、その種類に応じて設けられたカードの選択部を検知することによって挿入されたカードの種類を検知する。
【００１０】
上記考案においては、前記選択部は、矩形板状に形成された前記カードにおける挿入方向の先端である一辺から前記挿入方向へ突出するとともに、前記カードの種類に応じて予め定められた前記一辺の所定位置に設けられた突部であり、前記検知部は、前記カードの種類に応じて設けられた前記突部と対応する位置に、前記突部が押し込み可能に配置されるとともに、前記突部が押し込まれることにより電気の導通状態が変化するものであることを特徴とすることが好ましい。
【００１１】
このようにすることにより、カードがカード配置部に挿入されると、そのカードの先端の辺の一部に設けられた突出部が、対応する位置にある検知部に押し込まれる。そして、そのカードの突出部が押し込まれた検知部の電気の導通状態が変化することにより、検知部が挿入されたカードの種類を検知する。
【００１２】
上記考案においては、前記検知部は、前記突部が押し込まれることにより電気の導通状態が絶縁状態から導通状態へ、または、導通状態から絶縁状態へ変化するスイッチであることを特徴とすることが好ましい。
【００１３】
このようにすることにより、検知部は、矩形板状に形成されたカードの先端部分の突出部が押し込まれると、導通状態であるＯＮの状態から、絶縁状態であるＯＦＦの状態に、あるいはその逆に絶縁状態から導通状態に変化する。このことにより、検知部が、挿入されたカードの種類を検知する。
【００１４】
上記考案においては、前記選択部は、矩形板状に形成された前記カードにおける挿入方向の先端である一辺から前記挿入方向へ突出するとともに、前記カードの種類に応じて予め定められた前記一辺の所定位置に設けられた突部であり、前記検知部は、前記カードの種類に応じて設けられた前記突部と対応する位置に配置されるとともに、光を検知する光検知部、および、前記光検知部に光が入射する経路に前記突部が差し込み可能な空間が設けられたセンサーであることを特徴とすることが好ましい。
【００１５】
このようにすることにより、カードがカード配置部に挿入されると、そのカードの突出部が対応する位置にあるセンサーの空間部分に差し込まれる。この際、カードの先端の辺の一部に設けられた突出部が、光検知部に入射する光の経路を遮ることになるため、センサーは突出部の位置を検知する。このことによって検知部が、挿入されたカードの種類を検知する。
【００１６】
上記考案においては、前記カード配置部は、挿入された前記カードの少なくとも一方の面を視認可能に保持するものであり、前記カードは、所望の写真やメッセージカードなどを保持する保持部を備えた台紙であることを特徴とすることが好ましい。
【００１７】
このようにすることにより、カードは、写真やメッセージカードなどを保持する台紙として所望の写真等を保持した状態でカード配置部に挿入される。この際、当該カードによって保持されている写真等は、使用者等から視認可能な状態でカード配置部に配置される。
【００１８】
上記考案においては、音声録音、再生機能付き文具は、複数の前記カードが収納可能なカード収納部を更に備えることを特徴とすることが好ましい。
このようにすることにより、カード配置部に挿入されていない他のカードを、カード収納部に収納することができる。
【考案の効果】
【００１９】
本考案の音声録音、再生機能付き文具によれば、挿入されたカードの種類は検知部によって検知され、音声入力部から入力された音声データは、検知部が検知したカードの種類と紐付けられて記憶部に記憶される。また、音声を再生する際には、検知部が検知したカードの種類と紐付けられて記憶されている音声データが、記憶部から選択されて再生される。このため、カード配置部に挿入するカードの種類を変更するだけで、異なる音声メッセージなどの複数の音声を録音することができ、更に、選択したカードを挿入して再生するだけの簡単な操作で、挿入したカードの種類に紐付けられた音声データを選択して再生することが可能な音声録音、再生機能付き文具が提供される。
【図面の簡単な説明】
【００２０】
【図１】図１（ａ）は、本考案の音声録音、再生機能付き文具の一実施形態を示す正面図である。図１（ｂ）は、本考案の音声録音、再生機能付き文具に用いられるカードの一実施形態を示す正面図である。図（ｃ）は、本考案の音声録音、再生機能付き文具に用いられるカードの一実施形態を示す正面図である。
【図２】図２（ａ）は、本考案の音声録音、再生機能付き文具の一実施形態を示す正面分解図である。図２（ｂ）は、本考案の音声録音、再生機能付き文具にカードが挿入されている状態を示す正面分解図である。
【図３】図３（ａ）は、本考案の音声録音、再生機能付き文具の一実施形態を示す背面図である。図３（ｂ）は、本考案の音声録音、再生機能付き文具の一実施形態のブロック図である。
【図４】本考案の音声録音、再生機能付き文具の一実施形態を示す斜視図である。
【考案を実施するための形態】
【００２１】
この考案の一実施形態に係る音声録音、再生機能付き文具について、主に図１から図４を参照しながら説明する。本実施形態では、考案にかかる音声録音、再生機能付き文具を、任意の写真に入れ替えのできるフォトスタンドとしても使用可能なフォトアルバムに適用した例について説明をおこなう。なお、以降の説明において、左右、上下、表裏の方向は、図中に示す方向とする。
【００２２】
本実施形態にかかるフォトアルバム１は、直方体形状をした本体４と、本体４の表側の面を覆う蓋部となる蓋部２、本体４の左側の側面を覆う部分となる側面蓋部３と、写真やカードなどを保持する台紙３０から主に構成されている。なお、これらの各部は、矩形に形成されたボール紙などの板状の部材が折り曲げ、及び接着などの公知の方法によって形成されている。
【００２３】
本体４は、台紙３０が挿入抜き取り可能に配置される部分である台紙配置部２５と、収納部２２が挿入抜き取り可能に配置される図示されていない収納部配置部２６を備えている。なお、収納部２２は、複数の台紙３０が収納される略直方体のカード入れである。
【００２４】
本体４は、本体４の表面をなすフレーム部１０と、底面部１７、左側面部１８、右側面部１９、上面部２０及び背面部９から主に構成されている。フレーム部１０は、長方形の板状部材が、その一つの辺の中心付近から当該板状部材の中心に向かって矩形に切り取られ、凹字状に形成された板状部材である。このフレーム部１０は、前述の台紙配置部２５の周囲を囲む一部であって、挿入された台紙３０の表側の面を支持する部分である。フレーム部１０の矩形に切り取られた部分には、透明部材２１が設けられている。この透明部材２１が設けられている部分は、後述する台紙３０を台紙配置部２５に配置した際に、台紙３０が保持する写真３３が視認可能に配置される部分でもある。
【００２５】
左側面部１８及び右側面部１９は、それぞれ本体４の左右の側面をなす部分であり、左側面部１８及び右側面部１９のフレーム部１０と隣接する辺からは、それぞれ略長方形の支持板１３が、本体４の内側に向かってそれぞれ左側面部１８及び右側面部１９に直行して延びている。また、底面部１７は、本体４の底面をなす部分であり、底面部１７のフレーム部１０と隣接する辺からは、略長方形の支持板１４が、本体４の内側に向かって底面部１７に直交して延びている（図２（ａ）参照。）。この支持板１３及び支持板１４は、フレーム部１０と接着剤などで接合され、フレーム部１０を支持する部分である。
【００２６】
背面部９は、本体４の背面となる部分であって、接着剤などによって左側面部１８、右側面部１９及び底面部１７に接合されている。この背面部９の左側の辺からは、左側面部１８と略同一の大きさをした側面蓋部３が延びている。この側面蓋部３と背面部９の間にある辺には、折り線１１が設けられており、側面蓋部３は、折り線１１にて折り曲げ可能になっている。側面蓋部３をこの折り線１１にて左側面部１８に向かって折り曲げると、側面蓋部３は、本体４の左側の側面である左側面部１８を覆う部分となる。折り線１１と向かいあう側面蓋部３の辺からは、本体４の表側の面と略同一の大きさをした蓋部２が延びている。この蓋部２と側面蓋部３の間の辺には、折り線１２が設けられており、蓋部２はこの折り線１２にて折り曲げ可能になっている。蓋部２をこの折り線１２にて折り曲げると、本体４の表面を覆う蓋部となる。なお、折り線１２にて折り曲げた際に本体４の表面と向かい合う蓋部２の面には、使用者がメッセージや絵などが描けるメッセージ領域が設けられていてもよい。
【００２７】
上面部２０は、本体４の上側の面をなす部分であり、フレーム部１０、左側面部１８、右側面部１９、及び背面部９に接着剤などによって接合されている。
本体４の内側には、背面部９及びフレーム部１０とそれぞれ平行に中板部５が設けられている。この中板部５は、フレーム部１０の内側の面から台紙３０の厚さとほぼ同じ長さだけ離れて配置され、左側面部１８、右側面部１９及び上面部２０の少なくともいずれか一つの内側の面に固定されている。この中板部５とフレーム部１０、左側面部１８及び右側面部１９にて囲まれた空間が、台紙配置部２５となっている。この台紙配置部２５は、後述する台紙３０が挿入されて配置される部分である。また、中板部５と背面部９、左側面部１８及び右側面部１９にて囲まれた空間が、収納部配置部２６となっている。この収納部配置部２６は、収納部２２が配置される部分である。なお、この、台紙配置部２５が実用新案登録請求の範囲におけるカード配置部とされている。
【００２８】
上面部２０のフレーム部１０と接する辺の一部には、台紙３０の厚さとほぼ同じ幅で、台紙３０の左右方向の長さと略同じ長さをした長方形状の切り欠きが、上面部２０のフレーム部１０と接する辺に沿って延びている。この切り欠き部分が、前述の台紙配置部２５の開口であり、台紙３０が挿入される台紙挿入口２３となっている。また、上面部２０の背面部９に寄った部分には、略長方形の開口が、背面部９と接する辺に沿って並行に設けられている。この開口が、前述の収納部配置部２６の開口部であり、収納部２２が挿入される収納部挿入口２４となっている。
【００２９】
中板部５の台紙配置部２５側の面であって、底面部１７側に寄った部分には、検知部１５が設けられている（図２（ａ）参照。）。この検知部１５は、複数の検知スイッチ１６ａ〜１６ｈから構成された、台紙挿入口２３から挿入された台紙３０の種類を検知する部分である。なお、以降の説明において、この検知スイッチ１６ａ〜１６ｈを総称して検知スイッチ１６とも記載する。本実施形態では、検知スイッチ１６ａ〜１６ｈが、それぞれ所定の間隔で底面部１７と略平行に配置されている例に適用して説明をするが、特に検知スイッチ１６の数やその配置を限定するものではない。
【００３０】
検知スイッチ１６は、中板部５からフレーム部１０方向に向かって突出する押圧部を有している。この押圧部は、台紙配置部２５に挿入される台紙３０によって押し込まれて押圧されると、例えば背面部９に向かう方向に押し込まれたり、あるいは背面部９の方向に倒されたりする部分である。検知スイッチ１６は、このように押圧部が押圧されて押し込まれたり倒されたりすると、その電気的導通状態が変化するスイッチである。なお、検知スイッチ１６は、この押圧部への押圧が解除されて元の状態に戻ると、電気的な導通状態も元の状態に戻るものである。本実施形態では、検知スイッチ１６が、その押圧部が押圧されると導通状態（ＯＮの状態）となり、押圧が解除されると絶縁状態（ＯＦＦの状態）となるスイッチであるとして以降の説明を行うが、検知スイッチ１６は、その逆に変化するスイッチであってもよい。なおこの検知部１５及び検知スイッチ１６が、実用新案登録請求の範囲における検知部とされている。
【００３１】
収納部２２は、ボール紙などの板状部材が、折り曲げ及び接着などの公知の方法によって形成された略直方体の箱であり、複数の台紙３０を収納する部分である。収納部２２には、図示されていない台紙３０を挿入するための挿入部と、当該挿入部を塞ぐ同様に図示されていない蓋部などが設けられている。なお、収納部２２は、台紙３０を出し入れ可能に収納できるものであれば他の公知の構成からなるものであっても構わない。収納部２２は、台紙３０を収納した後は、前述の収納部挿入口２４から挿入されて収納部配置部２６に配置される。なお、この収納部２２及び収納部配置部２６が、実用新案登録請求の範囲におけるカード収納部とされている。
【００３２】
本体４のフレーム部１０の右側の端部には、録音ボタン６、再生ボタン７、及びマイク８がそれぞれ設けられている。また、本体４の背面部９には、スピーカー４０、電源スイッチ４１、電池蓋４２がそれぞれ設けられている（図３（ａ））参照。
【００３３】
マイク８は、使用者が自身の声や、音楽などの音声を入力する部分であり、入力された音声は電気信号に変換されて、本体４の内部に設けられている図示されていない制御ＩＣ５０に音声データとして伝達される。録音ボタン６は、使用者がマイク８を用いて音声等を録音する時に押されるボタンであり、この録音ボタン６が押されると、制御ＩＣ５０が録音状態となってマイク８から入力された音声データが、後述する制御ＩＣ５０の記憶部５４に記憶される。再生ボタン７は、録音された音声を聞く際に押されるボタンであり、再生ボタン７が押されると内部の制御ＩＣ５０が再生状態となり、記憶されていた音声データが再生されて、音声がスピーカー４０から出力される。
【００３４】
電源スイッチ４１は、制御ＩＣ５０など本体４の内部に設けられている電気素子への電源の供給をＯＮ／ＯＦＦするスイッチである。また、電池蓋４２は制御ＩＣ５０等に電源を供給する、図示されていない電池５１のカバーである。
【００３５】
制御ＩＣ５０は、公知の半導体素子であり、検知部１５からの信号を受信する検知制御部５２、マイク８から入力された音声データを記憶する記憶部５４、及び記憶部５４への音声データの記憶、及び記憶された音声データの再生を制御する録音・再生制御部５３を主に備えている（図３（ｂ）参照）。
【００３６】
なお、マイク８が実用新案登録請求の範囲における音声入力部と、スピーカー４０及び録音・再生制御部５３が実用新案登録請求の範囲における再生部と、記憶部５４が実用新案登録請求の範囲における記憶部とされている。
【００３７】
台紙３０は、使用者が所望の写真３３などを添付する台紙であって、本体４の台紙挿入口２３から挿入されて、台紙配置部２５に配置されるものである。台紙３０は、ボール紙などが略長方形に形成された板状部材であり、写真３３の角部を差し込んで保持するための切り込みである保持部３１が設けられている。なお、保持部３１は切り込みの他、公知の写真を保持する保持具が台紙３０に取り付けられたものであってもよい。
【００３８】
台紙３０の台紙配置部２５に挿入される方向にある辺の一部には、略長方形状の突部３２が、台紙３０が挿入される方向に延びている（図１（ｂ）参照）。この突部３２は、挿入される方向にある辺の任意の位置に設けることが可能で（図１（ｂ）、図１（ｃ）参照）、この突部３２の位置を変更することで、台紙３０の種類を変えることができる。本実施形態では、この台紙３０は、台紙３０ａ〜３０ｈの８つの種類があり、それぞれの種類において、突部３２が異なる位置に設けられている例に適用して以降の説明を行うが、特に台紙３０の種類の数を限定するものではなく、台紙３０の種類は８種類より多くても、少なくてもよい。なお、以降の説明のために、図１（ｂ）に表されている台紙を台紙３０ａと、図１（ｃ）に表されている台紙を台紙３０ｂとも記載する。また、台紙３０ａに設けられている突出部を突部３２ａと、台紙３０ｂに設けられている突出部を突部３２ｂとも記載する。
【００３９】
なお、突部３２は、前述の各検知スイッチ１６が配置されている位置と対応する位置に設けられている。即ち、台紙３０を台紙挿入口２３から挿入し、台紙配置部２５に配置した際に、突部３２が特定の検知スイッチ１６を押すように、突部３２が設けられている。そして、他の種類の台紙３０を挿入した場合、即ち、突部３２の設けられる位置が異なる台紙３０を挿入した場合には、異なる検知スイッチ１６を押すように突部３２がそれぞれ設けられている。本実施形態では、突部３２ａが検知スイッチ１６ａと対応する位置に設けられ、突部３２ｂが、検知スイッチ１６ｂに対応する位置に設けられている例に適用して以降の説明を行う。
なお、本実施形態における台紙３０が、実用新案登録請求の範囲におけるカードと、突部３２が実用新案登録請求の範囲における選択部とされている。
【００４０】
＜作用の説明＞
以降、本考案にかかるフォトアルバム１の作用の説明を、実際の操作手順に沿って説明する。なお、本実施形態では、使用者が台紙３０ａ及び台紙３０ｂにそれぞれ異なる写真３３を添付し、台紙３０ａと台紙３０ｂとで異なる音声メッセージを録音する例に適用して以降の説明を行う。
【００４１】
まず、フォトアルバム１の使用者は、複数種類のある台紙３０の中から、台紙３０ａを選択し、所望の写真３３を添付する。具体的には、所望の写真３３の対角の角部を、保持部３１である台紙３０ａの切り込みに差し込んで、写真３３を台紙３０ａに固定する。同様に使用者は、台紙３０ｂを選択し、異なる所望の写真３３を台紙３０ｂに添付する。
【００４２】
次いで使用者は、台紙３０ａを台紙挿入口２３から底面部１７に向かって挿入し、台紙配置部２５に配置する。このとき、フレーム部１０の凹状の部分で囲まれた部分には透明部材２１が備えられているため、台紙３０ａに固定された写真３３は外部から視認可能な状態になっている。なお、このとき、台紙３０ａの突部３２ａが、対応する位置にある検知スイッチ１６ａを押圧する（図２（ｂ）参照。）。
【００４３】
検知スイッチ１６ａが押圧されると、検知スイッチ１６ａがＯＮとなり、検知スイッチ１６ａがＯＮになったことを示す信号が、制御ＩＣ５０の検知制御部５２に伝達される。そして検知制御部５２は、録音・再生制御部５３に検知スイッチ１６ａがＯＮであることを伝達する。
【００４４】
台紙３０ａを挿入した使用者は、自らの音声を録音するために録音ボタン６を押し、マイク８に向かって音声を発生する。録音ボタン６が押されると、録音開始信号が制御ＩＣ５０に伝達され、制御ＩＣ５０の録音・再生制御部５３が録音状態となる。録音状態となった録音・再生制御部５３は、マイク８から入力された音声を音声データとして記憶部５４に記憶する。なおこの際、録音・再生制御部５３は、検知制御部５２からの信号に基づいて、検知スイッチ１６ａに関する情報を入力された音声データに関連づけて記憶部５４に記憶する。このようにすることで、入力された音声データと当該録音を行った際に挿入されていた台紙３０ａに関する情報が、関連づけられて記憶部５４に記憶される。
【００４５】
なお記憶部５４が予め所定の領域に分けられ、予めそれぞれの領域がそれぞれの検知スイッチ１６に対応して割り当てられており、録音・再生制御部５３が、検知制御部５２からの信号に基づいて、音声データを記憶する領域を選択することによって入力された音声データと台紙３０に関する情報を関連づけて記憶する様にしてもよい。また、記憶部５４が複数の記憶素子から構成され、録音・再生制御部５３が所定の記憶素子を選択することによって、入力された音声データと台紙３０に関する情報を、関連づけて記憶する様にしてもよい。
【００４６】
使用者は、更に異なるメッセージを録音するため、現在配置されている台紙３０ａを引き抜いて、台紙３０ｂを台紙配置部２５に挿入して配置する。台紙３０ｂが挿入されると、台紙３０ｂの突部３２に対応する検知スイッチ１６ｂが押圧される。
【００４７】
検知スイッチ１６ｂが押圧されると、検知スイッチ１６ｂがＯＮとなり、検知スイッチ１６ｂがＯＮになったことを示す信号が制御ＩＣ５０の検知制御部５２に伝達される。録音・再生制御部５３は、台紙３０ａが挿入された場合と同様に、検知制御部５２からの信号に従って音声データと検知スイッチ１６ｂに関する情報を音声データに関連づけて記憶部５４に記憶する。使用者は必要に応じて、台紙３０ｃ〜ｈを用いて上記の作業を繰り返す。
【００４８】
録音が終了すると、所望の写真が添付された特定の台紙３０を台紙配置部２５に挿入して配置し、その他の台紙３０を収納部２２に収納する。具体的には、収納部２２を収納部配置部２６から引き出してその内部に台紙配置部２５に配置しない台紙３０を収納し、再び収納部２２を収納部挿入口２４から挿入して収納部配置部２６に収納部２２を配置する（図４参照。）。
【００４９】
記憶部５４に記憶されている音声データを再生する場合には、再生ボタン７を押すことで記憶部５４に記憶されている音声データが、音声としてスピーカー４０から出力される。本実施形態では、台紙３０ａが配置されている状態で再生ボタン７が押された例に適用して説明をすると、突部３２ａによって検知スイッチ１６ａが押圧されているため、録音・再生制御部５３は、検知制御部５２から検知スイッチ１６ａがＯＮになっていることを示す信号を受信する。ここで、再生ボタン７が使用者によって押されると、録音・再生制御部５３は、記憶部５４の中から、前述の検知制御部５２からの信号に基づいて検知スイッチ１６ａと関連づけて記憶された音声データを読み出して、スピーカー４０からその音声を出力する。
【００５０】
使用者が、異なる音声データを再生するために、台紙３０ａを引き抜き、台紙３０ｂを配置して再生ボタン７を押した場合も同様に、録音・再生制御部５３は、記憶部５４に記憶された音声データから、検知制御部５２からの信号に基づいて検知スイッチ１６ｂと関連づけて記憶された音声データを読み出して、その音声をスピーカー４０から出力する。
【００５１】
上記の構成からなるフォトアルバム１によれば、検知部１５を有していることから、台紙３０を台紙配置部２５に配置するだけで、台紙３０の種類が検知される。また、マイク８から入力された音声は、検知部１５が検知した台紙３０の種類に関する情報と紐付けられ、音声データとして記憶部５４に記憶される。このため、配置される台紙３０の種類に応じた複数の音声を録音することが可能となる。また、再生の際には、その際に配置されている台紙３０に関する情報と紐付けられている音声データが再生されるため、台紙３０を挿入して配置するだけで、記憶部５４に記憶されている複数の音声データの中から、配置されている台紙３０の種類に応じた音声データを選択して再生することができる。
【００５２】
また、台紙３０には、その種類に応じて異なる位置に突部３２が設けられており、本体４は、それぞれの種類の台紙３０の突部３２に応じた位置に検知スイッチ１６を備えている。このため、台紙３０を挿入すると、挿入された台紙３０の突部３２に対応した検知スイッチ１６が作動し、台紙３０を挿入するだけの簡単な操作で、挿入された台紙３０の種類を検知することが可能となっている。また、突部３２は、台紙３０の辺の一部が突出したものであり、その突出する場所は、台紙３０の種類に応じて異なるため、使用者はその場所を確認すれば、台紙３０の種類を容易に識別することが可能である。
【００５３】
また検知スイッチ１６は、台紙３０が挿入されて突部３２が押し込まれることによってその導通状態が変化する、換言すれば導通状態（ＯＮの状態）と、絶縁状態（ＯＦＦの状態）が変化するスイッチである。このため、簡易な電気回路によって検知部１５を構成することができるため、簡易な構成のフォトアルバム１を提供することが可能となっている。
【００５４】
また、台紙３０には所望の写真３３を保持する保持部３１が設けられ、本体４の表側の面であるフレーム部１０には、透明部材２１が設けられている。このため、使用者は所望の写真３３を台紙３０に保持させて台紙配置部２５に配置すれば、所望の写真３３を外部から見ることができる。このため、フォトアルバム１を所望の写真３３を保持するフォトスタンドとしても使用することができる。また、異なる種類の台紙３０に別の写真３３を添付しておけば、台紙３０を交換するだけで、配置する写真３３を容易に交換することができる。さらに異なる写真３３が添付された台紙３０毎に、添付されている写真３３に関連した音声メッセージや音楽などをそれぞれ録音、再生することで、より印象深いフォトアルバム１とすることが可能となる。
【００５５】
更にフォトアルバム１は、複数の台紙３０を収納することが可能な収納部２２を有している。このため、複数の台紙３０を用いる場合に、使用しない台紙３０を収納部２２にまとめて収納することができるため便利である。また、収納部２２は、本体４の収納部配置部２６に差し込んで配置することができるため、複数の台紙３０をコンパクトに収納することができる。
【００５６】
なお、本考案の技術範囲は上記実施形態に限定されるものではなく、本考案の趣旨を逸脱しない範囲において種々の変更を加えることが可能である。
例えば、上記実施例では、検知部１５に、突部３２が押し込まれることによってその一部が押圧されて、導通状態と絶縁状態（ＯＮ状態とＯＦＦ状態）が切り替わる検知スイッチ１６を用いた構成について説明をしたが、例えば検知スイッチ１６が、ボール紙などの絶縁体からなる突部３２が差し込まれると絶縁状態となり、突部３２が引き抜かれると導通状態となる様な電気素子であっても構わない。このような電気素子を用いれば、更に簡易な構成で検知部１５を構成することが可能となる。
【００５７】
また検知スイッチ１６を、光を検知する複数の光センサーと、当該光センサーに入射する光路に突部３２を差し込むことのできる空間を有したセンサーから構成してもよい。この場合には、台紙３０が配置され、突部３２が当該センサーの空間部分に指し込まれ、光センサーへの光路が遮られることで、検知部１５は配置された台紙３０の種類を検知することになる。なお、この場合において、光センサーが実用新案登録請求の範囲における光検知部と、センサーの空間部分が実用新案登録請求の範囲における突部が差し込み可能な空間とされている。
【００５８】
また、上記実施形態では、台紙３０が写真３３を保持する例に適用して説明したが、台紙３０を使用せず、所望の写真３３やメッセージカードなどに直接突部３２を設けたものであってもよい。また、所望の写真３３やメッセージカードの特定の場所に穴を開けたり、突起物などを貼り付けるなどして、検知部１５が識別可能な選択部となる部分を形成したりしてもよい。このようにすれば、更に簡易な構成のフォトアルバム１を提供することが可能となる。
【００５９】
上記実施形態では、台紙配置部２５に配置していないその他の台紙３０を収納する収納部２２を有する例について説明したが、収納部２２を有さず、収納部配置部２６に直接その他の台紙３０を収納する構成としてもよい。また、収納部挿入口２４に収納した台紙３０が飛び出すことを防ぐための蓋を設けた構成としてもよい。
【００６０】
また、上記実施形態では、本考案に係る音声録音、再生機能付き文具をフォトアルバムに適用した例について説明をしたが、本考案に係る音声録音、再生機能付き文具をフォトスタンドや、カードの入れ替えが可能なメッセージカードや色紙などに適用しても構わない。
【符号の説明】
【００６１】
１  フォトアルバム    ２  蓋部    ３  側面蓋部    ４  本体    ５  中板部
６  録音ボタン    ７  再生ボタン    ８  マイク    ９  背面部
１０  フレーム部    １１  折り線    １２  折り線    １３  支持板
１４  支持板    １５  検知部    １６ａ〜１６ｈ  検知スイッチ
１７  底面部    １８  左側面部    １９  右側面部    ２０  上面部
２１  透明部材    ２２  収納部    ２３  台紙挿入口    ２４  収納部挿入口
２５  台紙配置部    ２６  収納部配置部    ３０ａ〜３０ｂ  台紙
３１  保持部    ３２ａ〜３２ｂ  突部    ３３  写真    ４０  スピーカー
４１  電源スイッチ    ４２  電池蓋    ５０  制御ＩＣ    ５１  電池
５２  検知制御部    ５３  録音・再生制御部    ５４  記憶部
【図１】
0003208326.tif 000003
【図２】
0003208326.tif 000004
【図３】
0003208326.tif 000005
【図４】
0003208326.tif 000006